【手続補正書】
【提出日】平成17年5月6日(2005.5.6)
【手続補正１】
【補正対象書類名】明細書
【補正対象項目名】特許請求の範囲
【補正方法】変更
【補正の内容】
【特許請求の範囲】
【請求項１】
複数シートから成るスタックから単一シートを送り出すシート送り装置であって、
スタックとなった複数のシートを支持する支持手段と、
前記スタック内の最上シートに係合して該最上シートを前記スタックから前進させる、間欠駆動させられるピック・ロールと、
前記ピック・ロールの前記支持手段によって支持された複数シートから成る前記スタックにおける最上シートとの係合よりも、下流側に配置された摩擦パッドであり、前記ピック・ロールに力を常時付勢している摩擦パッドと、
前記ピック・ロールが駆動させられて、前記支持手段によって前記最上シートが依然として支持されている状態で該支持手段上の複数シートから成る前記スタックの内のその最上シートに係合して該シートをそこから除去する際、前記ピック・ロールに対して前記摩擦パッドに第１の力を付勢させる第１手段と、
前記ピック・ロール及び前記支持手段の間での相対的移動を生じさせるように前記ピック・ロールが駆動させられる際に、該ピック・ロールと一緒に移動可能であって、前記第１の力を解除するカムと、
前記ピック・ロール及び前記支持手段の間で相対的移動が生じて、複数シートから成る前記スタックの内の前記最上シートが前記ピック・ロールと前記摩擦パッドとの間で保持された際、前記ピック・ロールに対して、前記第１の力より小さな第２の力を前記摩擦パッドによって付勢させる第２手段と、
を備えるシート送り装置。
【請求項２】
前記支持手段が、当該支持手段によって支持された複数シートから成る前記スタックの内の前記最上シートが前記ピック・ロールによって係合されている第１位置に配置されているか、或は、複数シートから成る前記スタックの内の前記最上シートが前記ピック・ロールと前記摩擦パッドとの間に保持されている第２位置に配置されているかに従って、前記ピック・ロールの回転軸線に対する前記摩擦パッドの角度を変更すべく、前記摩擦パッドを旋回自在に取付ける旋回自在取付け手段を含む、請求項１に記載のシート送り装置。
【請求項３】
前記旋回自在取付け手段が、
旋回自在に取付けられたキャリアと、
前記旋回自在に取付けられたキャリアがその上に旋回自在に支持された前記摩擦パッドを有することと、
前記第１手段が前記旋回自在に取付けられたキャリアに作用して、該旋回自在に取付けられたキャリアを旋回させて、前記摩擦パッドが前記ピック・ロールに対して前記第１力を付勢するように為していることと、
前記第２手段が前記摩擦パッドを前記旋回自在に取付けられたキャリアに対して旋回させて、前記摩擦パッドが、前記第１手段が無力の際に、前記ピック・ロールに対して前記第２力を付勢するように為していることと、
を含む、請求項２に記載のシート送り装置。
【請求項４】
前記支持手段が、前記最上シートが前記ピック・ロールによって該支持手段から除去され得るその第１位置にない際、前記支持手段が前記旋回自在に取付けられたキャリアに係合して、該旋回自在に取付けられたキャリアを無力に為す、請求項３に記載のシート送り装置。
【請求項５】
前記支持手段が、前記旋回自在に取付けられたキャリアに係合している旋回自在に取付けられたリフト・プレートを含む、請求項３に記載のシート送り装置。
【請求項６】
前記第１手段が、前記旋回自在に取付けられたキャリアに作用している第１柔軟性手段を含む、請求項５に記載のシート送り装置。
【請求項７】
前記第１手段が、前記旋回自在に取付けられたキャリアに作用している第１柔軟性手段を含む、請求項４に記載のシート送り装置。
【請求項８】
パッド・ハウジングであり、該パッド・ハウジングに固定された状態で前記摩擦パッドを有するパッド・ハウジングと、
前記パッド・ハウジングを前記旋回自在に取付けられたキャリア上に旋回自在に取付けて、前記パッド・ハウジングを前記旋回自在に取付けられたキャリア上に旋回自在に支持させて前記旋回自在に取付けられたキャリアに対して旋回移動させる旋回取付け手段と、
を含む、請求項３に記載のシート送り装置。
【請求項９】
前記第２手段が、前記パッド・ハウジングと前記旋回自在に取付けられたキャリアとの間に作用して、前記ピック・ロールに伝達させるために前記パッド・ハウジングに対して前記第２力を付勢する柔軟性手段を含む、請求項８に記載のシート送り装置。
【請求項１０】
前記第２手段が、前記摩擦パッドに作用している柔軟性手段を含む、請求項９に記載のシート送り装置。
【請求項１１】
前記第１手段が、前記旋回自在に取付けられたキャリアに作用している第１柔軟性手段を含む、請求項３に記載のシート送り装置。
【請求項１２】
前記第２手段が、前記摩擦パッドに作用している第２柔軟性手段を含む、請求項１１に記載のシート送り装置。
【請求項１３】
前記支持手段がその第２位置まで移動して、前記摩擦パッドが前記旋回自在に取付けられたキャリアに対して旋回して前記ピック・ロールに前記第２力を付勢する際に、前記第２手段が実効中である、請求項３に記載のシート送り装置。
【請求項１４】
前記第２手段が、前記摩擦パッドに作用している柔軟性手段を含む、請求項１３に記載のシート送り装置。
【請求項１５】
前記第１手段が、前記摩擦パッドに作用している第１柔軟性手段を含む、請求項３に記載のシート送り装置。
【請求項１６】
前記第２手段が、前記摩擦パッドに作用している第２柔軟性手段を含む、請求項１５に記載のシート送り装置。
【請求項１７】
前記第２手段が、前記摩擦パッドに作用している柔軟性手段を含む、請求項３に記載のシート送り装置。
【請求項１８】
各シート側部エッジに係合して、それの前記ピック・ロールによっての前進中に、各シートを案内している案内手段を含む、請求項１に記載のシート送り装置。
【請求項１９】
複数シートから成るスタックから単一シートを送り出すシート送り装置であって、
スタックとなった複数のシートを支持する支持手段と、
前記スタック内の最上シートに係合して該最上シートを前記スタックから前進させる、間欠駆動させられるピック・ロールと、
前記支持手段が前記シートを前記ピック・ロールと接触すべく移動するように取り付けられていることと、
第１の力を有する柔軟性手段によって移動自在に取り付けられると共に前記ピック・ロールの前記支持手段によって支持された複数シートから成る前記スタックにおける最上シートとの係合から下流側に配置された摩擦パッドであり、前記ピック・ロールに力を常時付勢している摩擦パッドと、
前記ピック・ロールが駆動させられて、前記支持手段によって前記最上シートが依然として支持されている状態で該支持手段上の複数シートから成る前記スタックの内のその最上シートに係合して該シートをそこから除去する際、前記ピック・ロールに対して前記摩擦パッドによって前記第１の力よりも大きな第２の力を付勢させる第１手段と、
前記ピック・ロール及び前記支持手段の間での相対的移動を生じさせるように前記ピック・ロールが駆動させられる際に、該ピック・ロールと一緒に移動可能であって、前記第１の力を解除するカムと、
前記ピック・ロール及び前記支持手段の間で相対的移動が生じて、複数シートから成る前記スタックの内の前記最上シートが前記ピック・ロールと前記摩擦パッドとの間で保持された際、前記柔軟性手段による前記第１の力によって、前記摩擦パッドを前記ピック・ロールに向かって付勢させる第２手段と、
を備えるシート送り装置。